(57)【特許請求の範囲】
【請求項１】
基地局識別情報群とそれに対応した位置情報との組み合わせが複数個記憶されてなる記憶媒体を装着するための記憶媒体装着部と、
利用可能な公衆基地局の制御チャネルを順次受信して得られる基地局識別情報のうち受信信号強度が上位所定数に入る上記制御チャネルに係る基地局識別情報からなる基地局識別情報群を得る情報取得手段と、
上記情報取得手段で得られる基地局識別情報群と上記記憶媒体装着部に装着された上記記憶媒体に記憶されている複数個の組み合わせのそれぞれの基地局識別情報群とを比較し、基地局識別情報の一致個数が最も多い上記組み合わせを構成する上記位置情報を得る情報処理手段とを備えることを特徴とする通信端末装置。
【請求項２】
上記情報処理手段で得られる上記位置情報で示される位置を表示部に表示する表示制御手段をさらに備えることを特徴とする請求項１に記載の通信端末装置。
【請求項３】
上記情報処理手段で得られる上記位置情報を相手側に送信する位置情報送信手段をさらに備えることを特徴とする請求項１に記載の通信端末装置。
【請求項４】
上記位置情報を上記相手側に送信する位置情報送信モードとするモード設定手段を備え、
上記位置情報送信手段は、上記モード設定手段によって上記位置情報送信モードに設定されているときのみ、上記位置情報を上記相手側に送信することを特徴とする請求項３に記載の通信端末装置。
【請求項５】
上記モード設定手段は、上記記憶媒体装着部に上記記憶媒体が装着されている場合のみ、上記位置情報送信モードに設定可能とされることを特徴とする請求項４に記載の通信端末装置。
【請求項６】
基地局識別情報群とそれに対応した位置情報との組み合わせが複数個記憶されてなる記憶媒体を装着するための記憶媒体装着部と、
他の通信端末装置で利用可能な公衆基地局の制御チャネルを順次受信して得られる基地局識別情報のうち受信強度が上位所定数に入る上記制御チャネルに係る基地局識別情報からなり、上記他の通信端末装置より送信されてくる基地局識別情報群を受信する情報受信手段と、
上記情報受信手段で受信される基地局識別情報群と上記記憶媒体装着部に装着された上記記憶媒体に記憶されている複数個の組み合わせのそれぞれの基地局識別情報群とを比較し、基地局識別情報の一致個数が最も多い上記組み合わせを構成する上記位置情報を得る情報処理手段と、
上記情報処理手段で得られる上記位置情報で示される位置を表示部に表示する表示制御手段とを備えることを特徴とする通信端末装置。
【発明の詳細な説明】
【０００１】
【発明の属する技術分野】
この発明は、通信端末装置に関する。詳しくは、基地局識別情報群とそれに対応した位置情報との組み合わせを記憶した記憶媒体を装着するための記憶媒体装着部を備え、自己または他の通信端末装置で利用可能な公衆基地局の制御チャネルを順次受信して得られる基地局識別情報群と記憶媒体に記憶されている複数個の組み合わせのそれぞれの基地局識別情報群とを比較し、基地局識別情報の一致個数が最も多い組み合わせを構成する位置情報を得ることによって、自己または他の通信端末装置の位置を容易に認識可能にした通信端末装置に係るものである。
【０００２】
【従来の技術】
近年、通信端末装置、例えば簡易型携帯電話機（ＰＨＳ：Personal Handyphone System）の小型軽量化が進み、その携帯が容易となっている。通常、簡易型携帯電話機の携帯者がどこにいるかは、その電話機に電話をかけ、携帯者と通話をすることで確認することができる。
【０００３】
【発明が解決しようとする課題】
しかし、携帯者が地理に不案内な例えば幼児、児童等であるときは、携帯している電話機に電話をかけ、携帯者と通話をしたとしても、その携帯者がどこにいるかを認識することが困難な場合がある。
【０００４】
そこで、この発明では、例えば携帯者と通話をすることなく、携帯者がどこにいるか、つまり装置本体の位置を容易に認識可能にするための通信端末装置を得ることを目的とする。
【０００５】
【課題を解決するための手段】
この発明に係る通信端末装置は、基地局識別情報群とそれに対応した位置情報との組み合わせが複数個記憶されてなる記憶媒体を装着するための記憶媒体装着部と、利用可能な公衆基地局の制御チャネルを順次受信して得られる基地局識別情報のうち、受信信号強度が上位所定数に入る上記制御チャネルに係る基地局識別情報からなる基地局識別情報群を得る情報取得手段と、この情報取得手段で得られる基地局識別情報群と記憶媒体装着部に装着された上記記憶媒体に記憶されている複数個の組み合わせのそれぞれの基地局識別情報群とを比較し、基地局識別情報の一致個数が最も多い上記組み合わせを構成する上記位置情報を得る情報処理手段とを備えるものである。
【０００７】
この発明において、記憶媒体には基地局識別情報群とそれに対応した位置情報との組み合わせが複数個記憶されている。通信端末装置の装置本体には、この記憶媒体を装着するための記憶媒体装着部が備えられている。通信端末装置の情報取得手段では、ショートトラッキングをして、つまり利用可能な公衆基地局の制御チャネルを順次受信して得られる基地局識別情報のうち受信信号強度が上位所定数に入る制御チャネルに係る基地局識別情報からなる基地局識別情報群が得られる。
【０００８】
そして、通信端末装置の情報処理手段では、上述の情報取得手段で得られる基地局識別情報群と記憶媒体装着部に装着された記憶媒体に記憶されている複数個の組み合わせのそれぞれの基地局識別情報群とが比較され、基地局識別情報の一致個数が最も多い上記組み合わせを構成する位置情報が得られる。この位置情報は自己の通信端末装置の位置を示すものとなる。この位置情報で示される位置を表示部に表示することで、携帯者は自分がどこにいるかを容易に認識可能となる。また、この位置情報を相手側に送信することで、相手側は携帯者がどこにいるかを容易に認識可能となる。
【０００９】
ここで、位置情報を上記相手側に送信する位置情報送信モードとするモード設定手段を備え、位置情報送信手段は、モード設定手段によって位置情報送信モードに設定されているときのみ、位置情報を相手側に送信するようにしてもよい。これにより、端末装置自体の設定によって相手側に位置情報が送信されることを回避できるようになる。また、モード設定手段は、記憶媒体装着部に記憶媒体が装着されている場合のみ、位置情報送信モードに設定することが可能となるようにしてもよい。これにより、位置情報送信モードが無駄に設定されることを回避できる。
【００１０】
また、この発明に係る通信端末装置は、基地局識別情報群とそれに対応した位置情報との組み合わせが複数個記憶されてなる記憶媒体を装着するための記憶媒体装着部と、他の通信端末装置で利用可能な公衆基地局の制御チャネルを順次受信して得られる基地局識別情報のうち受信強度が上位所定数に入る上記制御チャネルに係る基地局識別情報からなり、上記他の通信端末装置より送信されてくる基地局識別情報群を受信する情報受信手段と、この情報受信手段で受信される基地局識別情報群と記憶媒体装着部に装着された記憶媒体に記憶されている複数個の組み合わせのそれぞれの基地局識別情報群とを比較し、基地局識別情報の一致個数が最も多い上記組み合わせを構成する位置情報を得る情報処理手段と、この情報処理手段で得られる位置情報で示される位置を表示部に表示する表示制御手段とを備えるものである。
【００１１】
この発明において、記憶媒体には基地局識別情報群とそれに対応した位置情報との組み合わせが複数個記憶されている。通信端末装置の装置本体には、この記憶媒体を装着するための記憶媒体装着部が備えられている。通信端末装置の情報受信手段では、他の通信端末装置より送信されてくる基地局識別情報群が受信される。この基地局識別情報群は、上述の他の通信端末装置において、ショートトラッキングをして、つまり利用可能な公衆基地局の制御チャネルを順次受信して得られる基地局識別情報のうち、受信信号強度が上位所定数に入る制御チャネルに係る基地局識別情報からなるものである。
【００１２】
そして、通信端末装置の情報処理手段では、上述の情報受信手段で受信される基地局識別情報群と記憶媒体装着部に装着された記憶媒体に記憶されている複数個の組み合わせのそれぞれの基地局識別情報群とが比較され、基地局識別情報の一致個数が最も多い上記組み合わせを構成する位置情報が得られる。この位置情報は上述の他の通信端末装置の位置を示すものとなる。この位置情報で示される位置が表示部に表示される。これにより、携帯者は他の通信端末装置の携帯者がどこにいるかを容易に認識可能となる。
【００１３】
【発明の実施の形態】
以下、図面を参照しながら、この発明の実施の形態について説明する。図１は、実施の形態としての簡易型携帯電話機１００を示している。
【００１４】
この電話機１００は、マイクロコンピュータを有して構成され、システム全体を制御するための制御部１０１と、送受信用のアンテナ１０２と、このアンテナ１０２で捕らえられた所定周波数の受信信号をダウンコンバートしてπ／４シフトＱＰＳＫ（Quadrature Phase Shift Keying）信号を得ると共に、後述するディジタル変復調部より出力されるπ／４シフトＱＰＳＫ信号をアップコンバートして所定周波数の送信信号を得るための無線部１０３と、この無線部１０３より出力されるπ／４シフトＱＰＳＫ信号に復調処理をして受信データを得ると共に、後述するＴＤＭＡ（Time Division Multiple Access）処理部より出力される送信データに変調処理をしてπ／４ＱＰＳＫ信号を得るディジタル変復調部１０４とを有している。
【００１５】
また、電話機１００は、ディジタル変復調部１０４より出力される受信データ（複数スロットの時分割多重データ）より予め設定された下りスロットのデータを選択し、制御データおよび圧縮音声データに分離すると共に、後述する音声コーデック部より出力される圧縮音声データや、制御部１０１より出力される制御データを予め設定された上りスロットに多重するＴＤＭＡ処理部１０５を有している。
【００１６】
また、電話機１００は、ＴＤＭＡ処理部１０５より出力される圧縮音声データに対して復号化処理（誤り訂正処理を含む）をして受信音声信号を得ると共に、送信音声信号に対して圧縮符号化処理（誤り訂正符号の付加処理を含む）をして圧縮音声データを得るための音声コーデック部１０６と、この音声コーデック部１０６より出力される受信音声信号を増幅する低周波アンプ１０７と、このアンプ１０７の出力音声信号による音声を出力する受話器としてのスピーカ１０８と、音声コーデック部１０６より出力される受信音声信号がＤＴＭＦ信号である場合、このＤＴＭＦ信号を復調して４ビット（１ニブル）のＤＴＭＦ信号コードを得るＤＴＭＦ復調器１０９とを有している。この場合、ＤＴＭＦ復調器１０９で得られるＤＴＭＦ信号コードは制御部１０１に供給される。
【００１７】
また、電話機１００は、送話器としてのマイクロホン１１１と、このマイクロホン１１１より出力される音声信号を増幅する低周波アンプ１１２と、制御部１０１より供給されるＤＴＭＦ信号コードをＤＴＭＦ信号に変換するＤＴＭＦ変調器１１３と、アンプ１１２の出力音声信号またはＤＴＭＦ変調器１１３の出力ＤＴＭＦ信号を選択的に取り出して音声コーデック部１０６に送信音声信号として供給する切換スイッチ１１４とを有している。
【００１８】
この場合、切換スイッチ１１４のａ側の固定端子にはアンプ１１２の出力側が接続され、そのｂ側の固定端子にはＤＴＭＦ変調器１１３の出力側が接続される。切換スイッチ１１４は、制御部１０１によって制御され、ＤＴＭＦ信号を送信する場合はｂ側に接続され、その他の通話等を行う場合はａ側に接続される。
【００１９】
また、電話機１００は、ユーザが各種のキー操作を行うための操作部１１５と、液晶表示器等で構成される表示部１１６と、電話帳データや文字メッセージデータ等を記憶するための不揮発性メモリ１１７と、着信時に制御部１０１の制御によって呼出音を出力する呼出音出力部１１８とを有している。これら操作部１１５、表示部１１６、不揮発性メモリ１１７および呼出音出力部１１８は、それぞれ制御部１０１に接続されている。
【００２０】
ここで、操作部１１５には、発呼を指示したり、着信時に応答するための通話キー、通話を終了するための終話キー、電話番号を入力するためのテンキー、電話帳データを検索するためのキー、電話帳データを記憶するためのキー、位置入力操作モード等に移行させるためのキー等が配されている。表示部１１６には、システムの状態の他に、電話帳データの検索で選択された電話帳データ、テンキーで入力される電話番号等が表示される。
【００２１】
また、制御部１０１は、上述せずもマイクロコンピュータの動作プログラム、ＤＴＭＦ信号コードをキャラクタコードに変換するための変換フォーマット等が書き込まれているＲＯＭ（read only memory）１１９と、ＤＴＭＦ復調器１０９で得られるＤＴＭＦ信号コード等を一時的に書き込むための作業用のＲＡＭ（random access memory）１２０とを備えている。
【００２２】
また、電話機１００は、装置本体に、基地局識別情報群とそれに対応した位置情報との組み合わせを記憶する記憶媒体としてのＩＣカード１２１を着脱自在に装着するための装着部１２２を有している。装着部１２２に装着されるＩＣカード１２１は制御部１０１に接続される。ＩＣカード１２１には、例えば製造時に基地局識別情報群とそれに対応した位置情報との組み合わせが予め記憶され、あるいは後述する位置入力操作モードとすることで基地局識別情報群とそれに対応した位置情報との組み合わせが記憶される。
【００２３】
次に、図１に示す簡易型携帯電話機１００の動作を説明する。電源オン時には、制御チャネルとの同期がはずれた状態にあるので、基地局より送信される制御チャネルを受信して制御チャネルとの同期確立が行われる。この場合、利用可能な公衆基地局の制御チャネルを順次受信する、いわゆるショートラッキングが行われ、受信信号強度（ＲＳＳＩ：Receive Signal Strength Indicate）が選択レベル以上で、かつ最大の制御チャネルが選択され、その制御チャネルとの同期確立が行われる。そしてその後に、同期確立が行われた制御チャネルに係る基地局のエリアにいるという位置登録が行われる。この位置登録は通話チャネルを使用して行われる。位置登録が終了した後は、同期確立が行われた制御チャネルの受信状態に戻って待ち受け状態となる。
【００２４】
図２は、論理制御チャネル（ＬＣＣＨ）の構成例を示している。ただし、ＴＤＭＡフレームの第１スロットを論理制御チャネル（ＬＣＣＨ）に割り当てると共に、ＬＣＣＨスーパーフレームをｎＴＤＭＡフレーム毎のｍ個の間欠送信スロットで構成した例である。
【００２５】
基地局（ＣＳ）の使用するスロットは、下り（送信）の４スロットとそれに続く上り（受信）の４スロットとによって５［ｍｓ］のＴＤＭＡフレームが構成される。そして、下り論理制御チャネル（ＬＣＣＨ）を構成するスロットはｎＴＤＭＡフレーム毎に存在する。すなわち、下り間欠送信周期は５×ｎ［ｍｓ］である。
【００２６】
また、すべてのＬＣＣＨ要素のスロット位置を指定する下り論理制御チャネル（ＬＣＣＨ）の最小周期（５×ｎ×ｍ［ｍｓ］）がＬＣＣＨスーパーフレームと定義される。下り論理制御チャネル（ＬＣＣＨ）は、報知チャネル（ＢＣＣＨ）、一斉呼び出しチャネル（ＰＣＨ）、個別セル用チャネル（ＳＣＣＨ）とで構成される。ＢＣＣＨはＬＣＣＨスーパーフレームの先頭スロットで送信され、このＢＣＣＨの送信によりＬＣＣＨの先頭位置が通知される。一方、上り論理制御チャネル（ＬＣＣＨ）は、個別セル用チャネル（ＳＣＣＨ）で構成される。上り論理制御チャネル（ＬＣＣＨ）のスロット位置は、ＢＣＣＨ上の無線チャネル情報報知メッセージ中の制御用キャリア構成情報要素によって基地局（ＣＳ)から移動局（ＰＳ)に通知される。
【００２７】
図３は、ＢＣＣＨの構成を示している。ＢＣＣＨはＣＳからＰＳに制御情報を報知するための下り片方向チャネルである。このＢＣＣＨによって、チャネル構造に関する情報、システム情報等が転送される。
【００２８】
ＢＣＣＨは、プリアンブルパターン（ＰＲ）、同期用ユニークワード（ＵＮ）、チャネル種別コード（ＣＩ）、発識別符号、データ（ＢＣＣＨ）および巡回誤り検出符号（ＣＲＣ）で構成される。そして、発識別符号（ＣＳ−ＩＤ）は、事業者識別符号、一斉呼出エリア番号および付加ＩＤで構成される。また、データ（ＢＣＣＨ）は、オクテット１〜オクテット８で構成される。そして、オクテット１の下位７ビットによって、オクテット２〜オクテット８によるメッセージの種別が示される。
【００２９】
図４は、ＳＣＣＨの構成を示している。ＳＣＣＨはＣＳとＰＳの間で呼接続に必要な情報を転送するポイント-ポイントの双方向チャネルである。このＳＣＣＨでは、セル毎に独立の情報が転送される。
【００３０】
ＳＣＣＨは、プリアンブルパターン（ＰＲ）、同期用ユニークワード（ＵＮ）、チャネル種別コード（ＣＩ）、発識別符号、着識別符号、データ（ＳＣＣＨ）および巡回誤り検出符号（ＣＲＣ）で構成される。そして、ＳＣＣＨ（下り）において、発識別符号（ＣＳ−ＩＤ）は事業者識別符号、一斉呼出エリア番号および付加ＩＤで構成され、着識別符号はＰＳ呼出符号（ＰＳ−ＩＤ）で構成される。図示せずも、ＳＣＣＨ（上り）では、上述した発識別符号が着識別符号となり、上述した着識別符号が発識別符号となる。また、データ（ＳＣＣＨ）は、オクテット１〜オクテット５で構成される。そして、オクテット１の下位７ビットによって、オクテット２〜オクテット５によるメッセージの種別が示される。
【００３１】
ＰＣＨは、ＣＳからＰＳに対して、単一セルあるいは複数セルの広いエリア（一斉呼出エリア）に同一の情報を一斉に転送するポイント-マルチポイントの下り片方向チャネルである。このＰＣＨによって、ＣＳはＰＳに対して着信があったことを通知する。図２に示すように、ＬＣＣＨスーパーフレームには複数個のＰＣＨ（ＰＣＨ１〜ＰＣＨｎ）が存在する。
【００３２】
図５は、ＰＣＨの構成を示している。ＰＣＨは、プリアンブルパターン（ＰＲ）、同期用ユニークワード（ＵＮ）、チャネル種別コード（ＣＩ）、発識別符号、データ（ＰＣＨ）および巡回誤り検出符号（ＣＲＣ）で構成される。そして、発識別符号は、事業者識別符号、一斉呼出エリア番号および付加ＩＤで構成される。また、データ（ＰＣＨ）は、オクテット１〜オクテット８で構成される。
【００３３】
この場合、ＰＣＨは単一のメッセージのみを定義するため、メッセージ種別を示す領域はない。オクテット１の５〜７ビットで、呼出なし、ＢＣＤ１３桁以下のＰＳ番号による呼出サービス、１６進７桁のＰＳ番号による呼出サービスである等の呼出サービス種別が表示される。そして、オクテット１〜７によってＰＳ番号が示される。さらに、オクテット８によって、報知チャネル（ＢＣＣＨ）の受信指示が行われる。後述する間欠受信時に変化が生じた場合、ＰＳは、この受信指示によってＢＣＣＨを受信する。
【００３４】
なお、ＰＳは、着信群番号によって複数のＰＣＨ（ＰＣＨ１〜ＰＣＨｎ）より受信すべきＰＣＨを認識する。ＰＳは、ＰＳ番号とＣＳからのＢＣＣＨの内容（ｎPCH、ｎGROUP、制御用キャリア構成）に基づき、（１）式によって、着信群番号が算出される。ここで、ｎPCHは同一着信群数、ｎGROUPは着信群分ファクタである。また、２周波（２ＬＣＣＨ）を使用しＰＣＨの着信群が相互に関係する場合はＸ＝２であり、それ以外ではＸ＝１である。
着信群番号＝（ＰＳ番号）ＭＯＤ（ｎPCH×ｎGROUP×Ｘ）＋１  ・・・（１）
【００３５】
上述したように、位置登録が終了した後は、制御チャネルの受信状態に戻って待ち受け状態となる。この待ち受け状態では、電話機（ＰＳ）１０は、算出した着信群番号に対応するＰＣＨのみを受信する間欠受信に移行する。この場合、算出した着信群番号に対応するＰＣＨはＬＣＣＨスーパーフレーム毎に存在することから、従来待ち受け状態では、例えば１．２秒毎の間欠受信が行われている。
【００３６】
図６は、待ち受け状態におけるＰＣＨの間欠受信の動作を示している。自己の着信群番号に対応するＰＣＨがＰＣＨaであるとする。まず、最初に、制御チャネルの連続受信を行って、ＢＣＣＨを受信する。このＢＣＣＨ中の情報より自己の着信群番号を算出し、その着信群番号に基づいて受信タイミングを算出してＰＣＨaを受信する。そして、それ以後は、一定の受信タイミングでＰＣＨaのみを間欠受信する。
【００３７】
通話を行う場合の動作について説明する。この場合、例えば操作部１１５のキー操作で相手側の電話番号を入力し、あるいは電話帳データを検索した後に通話キーを操作すると、発呼処理が行われる。すなわち、制御部１０１より制御データとして電話番号データ等がＴＤＭＡ処理部１０５に供給されて制御チャネルで基地局に送信される。これにより、相手側との回線接続が行われて通話可能状態となる。
【００３８】
ここで、通話は通話チャネルを使用して行われるが、回線接続処理時に制御チャネルを使用して基地局より通話チャネルの通信周波数およびスロット位置のデータが制御データとして送信されてＴＤＭＡ処理部１０５より制御部１０１に供給される。制御部１０１は、通信周波数データに基づいて無線部１０３を制御して送受信周波数が通話チャネルの通信周波数と一致するようにすると共に、スロット位置データに基づいてＴＤＭＡ処理部１０５で選択されるスロットを設定する。よって、通話は基地局より通知された通話チャネルを使用して行われる。
【００３９】
ここで、図７を参照して、通話時における通信用物理スロットの構成を説明する。基地局（ＣＳ）の使用するスロットは、下り（送信）の４スロットとそれに続く上り（受信）の４スロットとによって、５［ｍｓ］のＴＤＭＡフレームが構成される。ＰＳは、各ＴＤＭＡフレームにおいて、上りの設定スロットでデータをＣＳに送信し、下りの設定スロットのデータを受信データとする。
【００４０】
また、制御チャネルを使用して基地局より制御データとして呼出データが送信され、この呼出データがＴＤＭＡ処理部１０５より制御部１０１に供給されて着信が検出されると、制御部１０１によって呼出音出力部１１８が制御されて呼出音が出力される。
【００４１】
この呼び出し動作が行われている状態で、通話キーが操作されて応答があると、制御部１０１より制御データとして応答データがＴＤＭＡ処理部１０５に供給されて基地局に制御チャネルで送信される。これにより、相手側との回線接続が行われて通話可能状態となる。この場合も、通話は基地局より通知された通話チャネルを使用して行われる。
【００４２】
通話状態では、通話チャネルで送信されてきた圧縮音声データがＴＤＭＡ処理部１０５より出力される。この圧縮音声データは音声コーデック部１０６に供給されて復号化処理が行われた後にアナログ信号に変換される。そして、音声コーデック部１０６より出力される受信音声信号がアンプ１０７を介してスピーカ１０８に供給され、このスピーカ１０８より受信音声信号による音声が出力される。
【００４３】
また、マイクロホン１１１より出力される送信音声信号はアンプ１１１で増幅された後に音声コーデック部１０６に供給されてディジタル信号に変換された後に圧縮符号化処理されて圧縮音声データが形成される。そして、音声コーデック部１０６より出力される圧縮音声データがＴＤＭＡ処理部１０５に供給され、通話チャネルで相手側に送信される。
【００４４】
次に、図８のフローチャートを使用して、装着部１２２に装着されたＩＣカード１２１に基地局識別情報群とそれに対応した位置情報との組み合わせを記憶するために、ユーザ（携帯者）の操作部１１５のキー操作により位置入力操作モードとされた場合の動作を説明する。
【００４５】
位置入力操作モードとされると、まずステップＳＴ１で、ＩＣカード１２１の記憶領域に空きがあるか否かが判定される。空きがあるときは、直ちにステップＳＴ２に進む。
【００４６】
空きがないときは、ステップＳＴ３で、ＩＣカード１２１の記憶領域に記憶されている基地局識別情報群とそれに対応した文字列の各組み合わせにおける文字列を組み合わせ番号と共に表示部１１６に表示する。この場合、表示部１１６の表示範囲が狭いときは、例えばスクロールによって各組み合わせにおける文字列を順に繰り返し表示する。
【００４７】
そして、ステップＳＴ４で、ユーザの操作部１１５の操作によって、重ね書き許可領域の選択があるか否かを判定し、ステップＳＴ５で、ステップＳＴ３で文字列を表示してから一定時間が経過したか否かを判定する。この場合、ステップＳＴ３で表示部１１６に表示された文字列に付されている組み合わせ番号のいずれかがユーザの操作部１１５の操作によって入力されたときは、重ね書き許可領域の選択があったと判定する。ステップＳＴ４で重ね書き許可領域の選択があったときは、ステップＳＴ２に進み、ステップＳＴ５で所定時間が経過したときはステップＳＴ６に進み、待ち受け状態に移行する。
【００４８】
ステップＳＴ２では、利用可能な公衆基地局の制御チャネルを順次受信する、いわゆるショートトラッキングをする。そして、ステップＳＴ７で、受信信号強度が上位所定数に入る制御チャネルに係るＣＳ−ＩＤを基地局識別情報群（ＣＳ−ＩＤ群）としてＩＣカード１２１の記憶領域に記憶する。この場合、ステップＳＴ４で重ね書き許可領域の選択があったときは、その重ね書き許可領域に記憶されることとなる。
【００４９】
そして、ステップＳＴ８で、位置情報としての文字列の入力があるか否かを判定し、ステップＳＴ９で、ステップＳＴ７でＩＣカード１２１の記憶領域に基地局識別情報群（ＣＳ−ＩＤ群）を記憶してから所定時間が経過したか否かを判定する。この場合、ユーザの操作部１１５の操作によって入力された文字列は表示部１１６に表示され、ユーザが確認して確定することが可能とされる。なお、ステップＳＴ４で重ね書き許可領域の選択がある場合には、最初その重ね書き許可領域に記憶されていた組み合わせにおける文字列が表示部１１６に表示され、その文字列を訂正する形式で文字列の入力が行われる。
【００５０】
文字列の入力がなく、所定時間が経過したときは、ステップＳＴ１０で、ステップＳＴ７における基地局識別情報群の記憶が無効とされ、その後にステップＳＴ６に進んで待ち受け状態とする。一方、所定時間が経過する前に文字列の入力あるときは、ステップＳＴ１１で、入力された文字列をステップＳＴ７で記憶された基地局識別情報群と対にしてＩＣカード１２１の記憶領域に記憶する。そして、ステップＳＴ１２で、位置入力の成功を表示部１１６にして、その後にステップＳＴ６に進んで待ち受け状態とする。
【００５１】
このように、位置入力操作モードとする毎に、図８のフローチャートに沿った動作が行われることから、ユーザ（携帯者）が電話機１００を携帯して移動し、複数の移動位置で位置入力操作モードとすることで、ＩＣカード１２１の記憶領域に、複数の移動位置に係る基地局識別情報群と文字列の組み合わせを順次記憶できることとなる。
【００５２】
なお、図８のフローチャートにおいては、ステップＳＴ１２で位置入力の成功を表示部１１６に表示するものであったが、その位置入力の成功を音声でユーザに知らせるようにしてもよい。また、図８のフローチャートの説明では触れていないが、ステップＳＴ７でＩＣカード１２１の記憶領域に記憶しようとする基地局識別情報群が、既に記憶されている所定の組み合わせにおける基地局識別情報群と一致するときには、その旨を対応する文字列と共に表示部１１６に表示し、ユーザが基地局識別情報群の記憶を行うか否かを選択可能とするか、あるいは直ちに待ち受け状態とするようにしてもよい。これにより、ＩＣカード１２１の記憶領域に同一情報がだぶって記憶されることを回避することが可能となる。
【００５３】
また、ユーザの操作部１１５の操作により位置探査モード（位置情報送信モード）のオンオフの選択状態とするとき、表示部１１６の表示は、例えば図９に示すようになる。この状態で、「１」キーが押圧されるときは位置探査モードがオンに設定され、「３」キーが押圧されるときは位置探査モードがオフに設定される。後述するように、位置探査モードがオンに設定されている場合のみ、発信側に位置情報としての文字列のデータが送信される。なお、装着部１２２にＩＣカード１２１が装着されている場合のみ、位置探査モードをオンに設定できるようにしてもよい。これにより、位置探査モードのオン設定が無駄に行われることを回避できる。
【００５４】
また、ユーザの操作部１１５の操作により情報通知コードの入力状態とするとき、表示部１１６の表示は、例えば図１０Ａに示すようになる。この状態で、ユーザが操作部１１５を操作して情報通知コード、例えば「イマ  ドコニ  イルノ」の文字列を入力すると、表示部１１６の表示が図１０Ｂに示すようになり、情報通知コードが設定される。
【００５５】
次に、図１１および図１２のフローチャートを参照して、電話機１００の制御部１０１の制御動作を説明する。
【００５６】
まず、ステップＳＴ２１で、利用可能な公衆基地局の制御チャネルを順次受信する、いわゆるショートトラッキングをし、ステップＳＴ２２で、受信信号強度が上位所定数に入る制御チャネルに係るＣＳ−ＩＤを基地局識別情報群（ＣＳ−ＩＤ群）としてＲＡＭ１２０に記憶する。
【００５７】
そして、ステップＳＴ２３で、制御部１０１内の５分タイマ（図示せず）を起動し、ステップＳＴ２４で、発呼や着信等のイベントがあるか否かを判定し、ステップＳＴ２５で、５分が経過したか否かを判定する。イベントがなく５分が経過したときは、ステップＳＴ２１に戻る。すなわち、イベントがないときは、５分毎に、ショートトラッキングをし、受信信号強度が上位所定数に入る制御チャネルに係るＣＳ−ＩＤを基地局識別情報群（ＣＳ−ＩＤ群）としてＲＡＭ１２０に記憶する。
【００５８】
ステップＳＴ２４でイベントがあるときは、ステップＳＴ２６で、特定の発信者番号（電話番号）に係る着信であるか否かを判定する。特定の発信者番号に係る着信でないときは、ステップＳＴ２７に進み、そのイベントに対応した通常の動作を行うように制御する。一方、特定の発信者番号に係る着信であるときは、ステップＳＴ２８で、位置探査モードがオンであるか否かを判定する。位置探査モードがオンでないときは、ステップＳＴ２７に進み、着信に対応した通常の動作を行うように制御する。これにより、電話機１００自体における設定によって、位置情報が相手側に送信されることを回避できる。
【００５９】
ステップＳＴ２８で位置探査モードがオンであるときは、ステップＳＴ２９（図１２）で、着信時に基地局より送られてくる呼設定メッセージの着サブアドレスに、上述したように予め設定されている情報通知コードと一致するコードが配されているか否かを判定する。因に、呼設定メッセージには、図１３に示すように、発呼元の電話番号である発呼電話番号（発番号）、この発呼電話番号に付随した発サブアドレス、発呼先（着信側）の電話番号である着信側電話番号（着番号）、この着信側電話番号に付随した着サブアドレスが含まれている。
【００６０】
ステップＳＴ２９で、着サブアドレスに情報通知コードと一致するコードが配されているときは、ステップＳＴ３０に進む。ステップＳＴ３０では、ステップＳＴ２２でＲＡＭ１２０に記憶された基地局識別情報群（ＣＳ−ＩＤ群）と、ＩＣカード１２１の記憶領域に記憶されている複数個の組み合わせのそれぞれの基地局識別情報群（ＣＳ−ＩＤ群）とを比較し、複数個の組み合わせのそれぞれにおけるＣＳ−ＩＤの一致個数を検査し、最も一致個数の多い組み合わせを構成する文字列を得るようにする。この文字列は電話機１００の位置、すなわちこの電話機１００の携帯者の位置を示すものとなる。
【００６１】
そして、ステップＳＴ３１で、自動応答をし、ステップＳＴ３２で、その文字列のデータを相手側に送信し、その後にステップＳＴ３３で、回線を切断し、ステップＳＴ３４で、待ち受け状態とする。文字列のデータは、例えばＤＴＭＦ信号で相手側に送信される。この場合、切換スイッチ１１４がｂ側に接続される。そして、制御部１０１よりＤＴＭＦ変調器１１３に文字列のデータに対応したＤＴＭＦ信号コードが供給され、このＤＴＭＦ変調器１１３より出力される文字列のデータに対応したＤＴＭＦ信号が送信音声信号として音声コーデック部１０６に供給される。
【００６２】
本実施の形態においては、このように特定の発信者番号に係る着信であること、かつ着サブアドレスに情報通知コードと一致するコードが配されていることを条件として位置情報としての文字列のデータが相手側に送信されるものであるが、特定の発信者番号に係る着信であることや、着サブアドレスに情報通知コードと一致するコードが配されていることのみを条件とすることもできる。
【００６３】
また、ステップＳＴ２９で着サブアドレスに情報通知コードと一致するコードが配されていないときは、ステップＳＴ３５で、呼出音出力部１１８を制御し、呼出音を出力させる。そして、ステップＳＴ３６で、ユーザの操作部１１５による操作があるか否かを判定し、ステップＳＴ３７で、呼出音を出力してから所定時間が経過したか、または相手側の切断があったか否かを判定する。応答がなく、所定時間が経過し、あるいは相手側の切断があるときは、ステップＳＴ３８で呼出音出力部１１８を制御し、呼出音の出力を停止させ、ステップＳＴ３４で、待ち受け状態とする。
【００６４】
所定時間が経過する前、あるいは相手側の切断がある前に、応答があるときは、ステップＳＴ４０で、通話状態とする。そして、ステップＳＴ４１で、位置情報の要求を受信したか否かを判定し、ステップＳＴ４２で、他のイベントがあるか否かを判定する。ＤＴＭＦ復調器１０９より位置情報の要求を示すＤＴＭＦ信号コードが得られるときは、位置情報の要求があったと判定する。
【００６５】
位置情報の要求のあるときは、ステップＳＴ４３に進む。ステップＳＴ４３では、ステップＳＴ３０と同様に、複数個の組み合わせのそれぞれにおけるＣＳ−ＩＤの一致個数を検査し、最も一致個数の多い組み合わせを構成する文字列を得るようにする。そして、ステップＳＴ４４で、その文字列のデータを相手側に送信し、その後にステップＳＴ４２に進む。このように、相手側は、通話状態において、ＤＴＭＦ信号で位置情報の要求を送ることで、位置情報としての文字列のデータをＤＴＭＦ信号によって受け取ることができる。
【００６６】
なお、ステップＳＴ４２で他のイベントがあり、ステップＳＴ４５で、そのイベントが切断（ユーザによる切断操作、あるいは相手側の切断）であるときは、ステップＳＴ３３で回線を切断し、ステップＳＴ３４で待ち受け状態とする。一方、イベントが切断でないときは、ステップＳＴ４６で、そのイベントに対応した処理をする。
【００６７】
このように本実施の形態においては、特定の発信者番号に係る着信であって、着サブアドレスに情報通知コードと一致するコードが配されている場合には、自動応答し、位置情報としての文字列のデータを相手側に送信する。また、通話状態において、相手側より位置情報の要求を受信するときも、位置情報としての文字列のデータを相手側に送信する。したがって、相手側では、送信されてくる文字列のデータによって位置を表示することで、電話機１００の携帯者の位置を容易に認識できる。
【００６８】
なお、上述実施の形態においては、位置情報としての文字列のデータをそのまま相手側に送信するものを示したが、ＣＳ−ＩＤの一致個数に対応して、文字列のデータにその精度を示すデータを付加して相手側に送信するようにしてもよい。これにより、相手側では文字列で示される位置の精度を認識できることとなる。精度を示すデータとしては、例えば一致個数が少ない場合には、「・・・の近く」、「・・・付近」等の文字列のデータが考えられる。
【００６９】
また、上述実施の形態においては、ＲＡＭ１２０に記憶された基地局識別情報群（ＣＳ−ＩＤ群）と、ＩＣカード１２１の記憶領域に記憶されている複数個の組み合わせのそれぞれの基地局識別情報群（ＣＳ−ＩＤ群）とを単に比較し、複数個の組み合わせのそれぞれにおけるＣＳ−ＩＤの一致個数を求めるものである。しかし、ＩＣカード１２１の記憶領域に記憶されている複数個の組み合わせのそれぞれの基地局識別情報群と、ＲＡＭ１２０に記憶された基地局識別情報群とを受信信号強度に基づいて複数のグループに分割し、ＲＡＭ１２０に記憶されている基地局識別情報群とＩＣカード１２１の記憶領域に記憶されている複数個の組み合わせのそれぞれの基地局識別情報群とを各グループ毎に比較して一致個数を求めるようにしてもよい。これにより、より精度の高い位置情報としての文字列を得ることが可能となる。
【００７０】
また、上述実施の形態においては、待ち受け状態において５分毎に基地局識別情報群を得てＲＡＭ１２０に記憶するようにしているが、この基地局識別情報群を得てＲＡＭ１２０に記憶する動作は、受信データの劣化が生じたとき、あるいは特定の電話番号の相手側より着信があったときに実行するようにしてもよい。受信データの劣化が生じたときは、同期確立すべき制御チャネルを得るためにショートトラッキングをする必要があるが、このショートトラッキングが上述した基地局識別情報群を得るためのショートトラッキングに兼用される。なお、特定の電話番号の相手側より着信があったとき、基地局識別情報群を得る動作を実行する場合には、その後に、特定の電話番号の相手側に発呼して、位置情報としての文字列のデータを送信することとなる。この場合、ショートトラッキングによって基地局識別情報群を得る必要があることから、文字列のデータを相手側に送信するためには相手側に発呼しなければならない。
【００７１】
また、上述実施の形態においては、位置入力操作モード（図８参照）とすることで、ＩＣカード１２１の記憶領域に基地局識別情報群とそれに対応する文字列との組み合わせを記憶するようにしたものであるが、これらの組み合わせを例えば他の電話機やサービスセンター等より受信し、ＩＣカード１２１の記憶領域に書き込むようにしてもよい。
【００７２】
また、上述実施の形態においては、位置情報としての文字列のデータを相手側に送信するものであったが、電話機１００の携帯者自体の操作によって、位置情報としての文字列を得、その文字列を表示部１１６に表示するように構成することもできる。これにより、携帯者は自分がどこにいるかを容易に認識可能となる。この場合、一致個数に応じて精度を示す文字列を付加して表示することもできる。
【００７３】
また、上述実施の形態においては、電話機１００自体において利用可能な公衆基地局の制御チャネルを順次受信して得られる基地局識別情報のうち受信信号強度が上位所定数に入る上記制御チャネルに係る基地局識別情報からなる基地局識別情報群と、ＩＣカード１２１の記憶領域に記憶されている複数個の組み合わせのそれぞれの基地局識別情報群とを比較し、複数個の組み合わせのそれぞれにおけるＣＳ−ＩＤの一致個数を検査し、最も一致個数の多い組み合わせを構成する文字列、すなわち自己の電話機１００の存在位置を示す文字列を得るようにしたものである。
【００７４】
上述せずも、他の電話機で利用可能な公衆基地局の制御チャネルを順次受信して得られる基地局識別情報のうち受信強度が上位所定数に入る上記制御チャネルに係る基地局識別情報からなり、他の電話機より送信されてくるその基地局識別情報群を受信し、その受信した基地局識別情報群とＩＣカード１２１の記憶領域に記憶されている複数個の組み合わせのそれぞれの基地局識別情報群とを比較し、複数個の組み合わせのそれぞれにおけるＣＳ−ＩＤの一致個数を検査し、最も一致個数の多い組み合わせを構成する文字列、すなわち他の電話機の存在位置を示す文字列を得ることも考えられる。
【００７５】
また、上述実施の形態においては、基地局識別情報群とそれに対応した位置情報との組み合わせを記憶する記憶媒体がＩＣカードであるものを示したが、他の記憶媒体を使用してもよい。例えば、工場で、基地局識別情報群とそれに対応した位置情報との組み合わせを記憶するための半導体メモリを実装するようにしてもよい。この場合、工場で、その半導体メモリに基地局識別情報群とそれに対応した位置情報との組み合わせを記憶しておいてもよい。
【００７６】
さらに、上述実施の形態においては、通信端末装置が簡易型携帯電話機であるものを示したが、この発明はその他の通信端末装置にも同様に適用できることは勿論である。
【００７７】
【発明の効果】
この発明によれば、基地局識別情報群とそれに対応した位置情報との組み合わせが記憶媒体に記憶されており、自己または他の通信端末装置において利用可能な公衆基地局の制御チャネルを順次受信して得られる基地局識別情報群と装着部に装着された上記記憶媒体に記憶されている複数個の組み合わせのそれぞれの基地局識別情報群とを比較し、基地局識別情報の一致個数が最も多い組み合わせを構成する位置情報を得ることができ、自己または他の通信端末装置の位置を容易に認識可能となる。
【図面の簡単な説明】
【図１】実施の形態としての簡易型携帯電話機（ＰＨＳ）の構成を示すブロック図である。
【図２】論理制御チャネル（ＬＣＣＨ）の構成を示す図である。
【図３】ＢＣＣＨの構成を示す図である。
【図４】ＳＣＣＨの構成を示す図である。
【図５】ＰＣＨの構成を示す図である。
【図６】待ち受け状態におけるＰＣＨの間欠受信の動作を示す図である。
【図７】通話時における通信用物理スロットの構成を示す図である。
【図８】位置入力操作モードの制御動作を説明するためのフローチャートである。
【図９】位置探査モードのオンオフ選択時の表示例を示す図である。
【図１０】情報通知コードの入力時の表示例を示す図である。
【図１１】実施の形態としての簡易型携帯電話機の動作を説明するためのフローチャート（１／２）である。
【図１２】実施の形態としての簡易型携帯電話機の動作を説明するためのフローチャート（２／２）である。
【図１３】呼設定メッセージの一部構成を示す図である。
【符号の説明】
１００  簡易型携帯電話機
１０１  制御部
１０２  送受信用のアンテナ
１０３  無線部
１０４  ディジタル変復調部
１０５  ＴＤＭＡ処理部
１０６  音声コーデック部
１０７，１１２  低周波アンプ
１０８  スピーカ
１０９  ＤＴＭＦ復調器
１１１  マイクロホン
１１３  ＤＴＭＦ変調器
１１４  切換スイッチ
１１５  操作部
１１６  表示部
１１７  不揮発性メモリ
１１８  呼出音出力部
１２１  ＩＣカード
１２２  装着部
【図１】
0003951416.tif 000002
【図２】
0003951416.tif 000003
【図３】
0003951416.tif 000004
【図４】
0003951416.tif 000005
【図５】
0003951416.tif 000006
【図６】
0003951416.tif 000007
【図７】
0003951416.tif 000008
【図８】
0003951416.tif 000009
【図９】
0003951416.tif 000010
【図１０】
0003951416.tif 000011
【図１１】
0003951416.tif 000012
【図１２】
0003951416.tif 000013
【図１３】
0003951416.tif 000014